(57)【要約】【課題】  容器内容物が容器外へ飛び出し難い構成を有する新規な切込線形式のストロー挿入口を有する飲料容器用蓋を提供する。【解決手段】  飲料用容器の口縁部に嵌合される溝状のリブと、該リブの内周側に連接する上壁部とを有し、該上壁上の少なくとも一箇所に、ストローを容器外から容器内に差し込み、係止するための切込線部が配設されており、前記切込線部はその一部に非切込部を有することを特徴とする飲料容器用蓋。【選択図】      図１
2010137902.tif 000002
【特許請求の範囲】
【請求項１】
飲料用容器の口縁部に嵌合される溝状のリブと、該リブの内周側に連接する上壁部とを有し、該上壁上の少なくとも一箇所に、ストローを容器外から容器内に差し込み、係止するための切込線部が配設されており、前記切込線部は、貫通切込部と、該貫通切込部を中断する１個以上の非切込部とから構成されていることを特徴とする飲料容器用蓋。
【請求項２】
前記非切込部の長さは０．１ｍｍ〜１．０ｍｍの範囲内である請求項１記載の飲料容器用蓋。
【請求項３】
前記切込線部は略十字形状、略Ｃ字形状、略Ｈ字形状、略Ｌ字形状、略Ｎ字形状、略Ｓ字形状、略Ｔ字形状、略Ｕ字形状、略Ｖ字形状、略Ｗ字形状、略Ｙ字形状及び略コ字形状からなる群から選択される何れかの形状に形成されている請求項１記載の飲料容器用蓋。
【請求項４】
前記切込線部は、上壁部の略中央部付近に配設された円錐台形状の隆起部の平坦上面部に配設されている請求項１記載の飲料容器用蓋。
【発明の詳細な説明】
【技術分野】
【０００１】
本発明は容器用の蓋に関する。更に詳細には、本発明は冷飲料用容器の上端口縁部に施蓋され、ストローを容器内に差し込み挿入可能にするための切り込みを上壁面上に有するプラスチック製の蓋に関する。
【背景技術】
【０００２】
ファーストフードの店舗でソフトドリンクなどの冷飲料を購入すると、店員は内壁面にワックスコーティング又は熱可塑性フィルムがライニングされた紙製容器やプラスチック製容器内にソフトドリンクを充填した後、容器上端の口縁部にプラスチック製の着脱可能な蓋を被せてから購入者に手渡す。蓋は容器内のソフトドリンクが零れたり、空気中の異物などがソフトドリンク内に混入することを防止するために使用される。
【０００３】
購入者は容器内のソフトドリンクを飲用する場合、蓋全体を容器口縁部から剥脱することもできるが、最近では、蓋の上壁面上にストローを容器内に差し込み挿入可能にするための切り込みを配設し、蓋を剥脱することなく容器内のソフトドリンクを飲用できるように工夫されている。
【０００４】
例えば、蓋の上壁面の中央部に円錐台形状の凹陥部を設け、凹陥部の円形平面状底部の外周全域に沿ってミシン目状に切り込みを入れ、ストロー挿入口を形成する。この場合、容器内のソフトドリンクを飲用するには、凹陥部の円形平面状底部に向かってストローを突き立て、ミシン目部分を突き破ってストローを容器内に挿入する。しかし、このような蓋では、ストローにより突き破られたミシン目部分片が蓋本体から完全に切り取られて容器内に落下し、内部のソフトドリンクに混入することがあった。
【０００５】
このような欠点を解決するため、特許文献１に記載される蓋では、蓋の上壁面上の適当な箇所に直線又は曲線状の両側切込線と、該両側切込線の間を結ぶ横断切込線とからなる略Ｈ字形状の切込線によって構成されるストロー挿入口を配設している。このような形状のストロー挿入口はストローなどを容器内に極めて貫通させやすく、ストロー把持効果も高く、しかも、円周形状のミシン目状切込線によって構成されるストロー挿入口のように、ストロー貫入時に蓋切片が容器内に落下し、中のソフトドリンクに混入したりすることが全く無い。
【０００６】
しかし、特許文献１に記載される蓋に配設された略Ｈ字形状の切込線によって構成されるストロー挿入口の場合、ストローが挿入されていない状態でも、容器が揺れたりして中のソフトドリンクが波打って蓋上壁内面に当たると、略Ｈ字形状の切込線部分が拡がって、ソフトドリンクが容器外へ飛び出してくることがあった。
【特許文献１】実開昭５５−２１９２１号公報
【発明の開示】
【発明が解決しようとする課題】
【０００７】
従って、本発明の目的は、容器内容物が容器外へ飛び出し難い構成を有する新規な切込線形式のストロー挿入口を有する飲料容器用蓋を提供することである。
【課題を解決するための手段】
【０００８】
前記課題は、飲料用容器の口縁部に嵌合される溝状のリブと、該リブの内周側に連接する上壁部とを有し、該上壁上の少なくとも一箇所に、ストローを容器外から容器内に差し込み、係止するための切込線部が配設されており、前記切込線部は、貫通切込部と、該貫通切込部を中断する１個以上の非切込部とから構成されていることを特徴とする飲料容器用蓋により解決される。
【０００９】
前記解決手段によれば、ストローが差し込まれるまで、切込線部の一部に形成された非切込部の存在により、切込線部が過大に開口されることを防止するので、飲用前に万一容器内の飲料が動揺して蓋上壁内面に当たっても、切込線部から飲料が容器外へ零れ出す量を大幅に軽減することができる。
【００１０】
前記解決手段において、非切込部の長さは０．１ｍｍ〜１．０ｍｍの範囲内である。
【００１１】
前記解決手段によれば、非切込部の長さが０．１ｍｍ未満では、蓋の取扱中に非切込部が切断され、切込線部と連通してしまう危険性がある。一方、非切込部の長さが１．０ｍｍ超では、ストローを切込線部に突き立てても一度で容易にストローを容器内に差し込むのが困難となる可能性がある。
【００１２】
前記解決手段において、切込線部は略十字形状、略Ｃ字形状、略Ｈ字形状、略Ｌ字形状、略Ｎ字形状、略Ｓ字形状、略Ｔ字形状、略Ｕ字形状、略Ｖ字形状、略Ｗ字形状、略Ｙ字形状及び略コ字形状からなる群から選択される何れかの形状に形成されている。
【００１３】
前記解決手段によれば、切込線部を様々な形状のものから選択することができ、本発明の蓋の活用性が高められる。
【００１４】
前記解決手段において、切込線部は、上壁部の略中央部付近に配設された円錐台形状の隆起部の平坦上面部に配設されている。
【００１５】
前記解決手段によれば、隆起部の存在により、容器内の飲料が動揺して蓋の上壁部の内面側に衝突しても、隆起部が存在しない場合に比べて、飲料が切込線部から容器外へ零れ出す量を更に減少させることができる。
【発明の効果】
【００１６】
本発明の飲料容器用蓋は従来の蓋と同様に、蓋の上壁面にストローを差し込むための切込線部が形成されているが、従来の蓋と異なり、切込線部を構成する貫通切込部の一部に非切込部を有する。このため、本発明の蓋を容器口縁部に施蓋した場合、従来の蓋と異なり切込線部全体が連通していないので、容器が動揺しても容器内の飲料が切込線部から容器外へ零れ出す量を大幅に軽減することができる。また、非切込部はストローで比較的容易に切断することができるので、従来の蓋と同様に容器内の飲料を摂取するためにストローを容易に容器内へ差し込み挿入することができる。
【発明を実施するための最良の形態】
【００１７】
以下、図面を参照しながら本発明の飲料容器用蓋の好ましい実施態様について説明する。図１は本発明の飲料容器用蓋の平面図であり、図２は図１に示された飲料容器用蓋に配設される切込線部の拡大図平面図であり、図３は図１におけるIII-III線に沿った断面図である。
【００１８】
図１を参照する。本発明の飲料容器用蓋１は基本的に、飲料用容器の口縁部に嵌合される溝状のリブ３と、該リブの内周側に連接する上壁部５とを有する。上壁部５の略中央部付近に円錐台形状の隆起部７が形成されており、この隆起部７の平坦上面部９に切込線部１１が形成されている。しかし、本発明の飲料容器用蓋１において、隆起部７の形成は必須要件ではない。従って、切込線部１１は上壁部５の任意の箇所に配設することができる。
【００１９】
図２を参照する。切込線部１１は例えば、図示されているように十字形状に形成することができる。切込線部１１は、貫通切込部１３と、非切込部１５とから構成されている。非切込部１５の配設位置（Ａ）は、交点の距離をゼロ（０）とし、ここから切り込み線の一方の端部までの距離をＤとすると、０＜Ａ＜２／３Ｄ、好ましくは０＜Ａ＜１／２Ｄの関係になるように選択することができる。非切込部１５の配設位置（Ａ）は上記の関係に基づき、使用するストローの外径や非切込部１５の大きさ及び個数を考慮して決定することが好ましい。非切込部１５は切込線部１１の交点１７寄りに配設することが好ましい。これは、使用者は一般的に、切込線部１１の交点１７めがけてストローを突き立てる傾向があるためである。ここで、「十字形状」という用語は、Ｘ字形状及びχ字形状など、２本の線が相互に交差することにより示される全ての形状を含む意味で使用されている。
【００２０】
非切込部１５の長さは０．１ｍｍ〜１．０ｍｍの範囲内であることが好ましい。非切込部１５の長さが０．１ｍｍ未満の場合、蓋１の取扱中に非切込部１５が破壊され、貫通切込部１３と連通してしまう危険性がある。一方、非切込部１５の長さが１．０ｍｍ超の場合、ストローを突き立てても非切込部１５がなかなか破壊されず、ストローを折り曲げて破損させてしまう可能性がある。非切込部１５の長さは蓋１の厚さや非切込部１５の個数などを考慮して決定することができる。
【００２１】
図３を参照する。本発明の飲料容器用蓋１のリブ３は、飲料用容器２０の口縁部２２に嵌合される。蓋１が例えば、プラスチック製である場合、弾力性があるので、リブ３は飲料用容器２０の口縁部２２にしっかりと嵌合し、高い密閉性を発揮することができる。蓋１の上壁部５の略中央部に円錐台形状の隆起部７を配設することが好ましい。従って、切込線部１１は隆起部７の平坦上面９に配設することが好ましい。この隆起部７の存在により、容器２０内の飲料２４が動揺して蓋１の上壁部５の内面側に衝突しても、隆起部７が存在しない場合に比べて、飲料２４が切込線部１１から容器外へ零れ出す量を更に減少させることができる。
【００２２】
図４は切込線部１１の別の実施態様を示す部分平面図である。（Ａ）は、平行線状の両側貫通切込部２６と、該貫通切込部の略中央部でそれぞれ交わる横断貫通切込部２８とからなる略Ｈ字形状の切込線部１１ａの実施態様であり、横断貫通切込部２８の中央から半径方向外方であって、前記中央寄りに非切込部１５が対称的に形成されている。（Ｂ）は、横断貫通切込部２８と、該横断貫通切込部２８を中心にして対称な位置関係にあり、該横断貫通切込部２８の長さを直径とする曲率の円弧状両側貫通切込部２６’とからなる略Ｈ字形状の切込線部１１ｂの実施態様であり、横断貫通切込部２８の中央から半径方向外方であって、前記中央寄りに非切込部１５が対称的に形成されている。しかし、非切込部１５は対称的に２個形成せず、１個だけでもよい。
【００２３】
図５は切込線部の他の実施態様を示す部分平面図である。（Ｃ）は、略Ｃ字形状の切込線部１１ｃの実施態様であり、半円弧状の１本の貫通切込部１３と、１個の非切込部１５とから構成されている。（Ｄ）は略Ｕ字形状の切込線部１１ｄの実施態様であり、半円弧状の１本の貫通切込部１３と、１個の非切込部１５とから構成されている。「円弧」という用語は、真円状円弧及び楕円状円弧の両方を含む意味で使用されている。（Ｅ）は、略Ｓ字形状の切込線部１１ｅの実施態様であり、曲線状の１本の貫通切込部１３と、２個の非切込部１５とから構成されている。（Ｆ）は略Ｖ字形状の切込線部１１ｆの実施態様であり、２本の貫通切込部１３と、２個の非切込部１５とから構成されている。（Ｇ）は略Ｌ字形状の切込線部１１ｇの実施態様であり、２本の貫通切込部１３と、２個の非切込部１５とから構成されている。（Ｈ）は略Ｔ字形状の切込線部１１ｈの実施態様であり、２本の貫通切込部１３と、３個の非切込部１５とから構成されている。（Ｉ）は略Ｎ字形状の切込線部１１ｉの実施態様であり、３本の貫通切込部１３と、１個の非切込部１５とから構成されている。Ｎ字形状はＺ字形状も含むものとする。（Ｊ）は略Ｙ字形状の切込線部１１ｊの実施態様であり、３本の貫通切込部１３と、３個の非切込部１５とから構成されている。（Ｋ）は略コ字形状の切込線部１１ｋの実施態様であり、３本の貫通切込部１３と、３個の非切込部１５とから構成されている。（Ｌ）は略Ｗ字形状の切込線部１１ｌの実施態様であり、４本の貫通切込部１３と、４個の非切込部１５とから構成されている。前記Ｖ字形状、Ｎ字形状、Ｌ字形状、Ｙ字形状、Ｗ字形状及びコ字形状の切込線部において、２本〜４本の貫通切込部１３が交わる角度は鋭角、直角又は鈍角の何れの角度であることもできる。
【００２４】
本発明の飲料容器用蓋１は前記のように一般的にプラスチック製であることが好ましい。蓋１の形成用プラスチック材料としてはポリエチレン（ＰＥ）、ポリプロピレン（ＰＰ）、ポリスチレン（ＰＳ）、ポリエチレンテレフタレート（ＰＥＴ）、ポリ乳酸（ＰＬＡ）などが好適である。言うまでもなく、その他の材料も本発明の飲料容器用蓋１を作製するために使用できる。蓋１はこれらのプラスチック材料を射出成型することにより容易に大量生産することができる。蓋１の厚さは本発明の必須要件ではないが、一般的に、０．２ｍｍ〜０．３ｍｍ程度の範囲内である。
【００２５】
射出成型により成型された蓋をその後、トムソン刃型で型抜加工し、蓋の上壁部に切込線部１１を形成する。トムソン刃型は地域により「ビク刃型」と呼ばれることもある。刃の一部に、本発明の切込線部１１の非切込部１５に対応する切欠部分（ノッチ部分）を有するトムソン刃型（ビク刃型）を使用して型抜加工することにより本発明の飲料容器用蓋１を製造することができる。
【００２６】
以上、本発明の飲料容器用蓋１の好ましい実施態様について説明してきたが、本発明の飲料容器用蓋１は図示された実施態様だけに限定されることはない。特に、非切込部１５を有する切込線部１１の形状や、非切込部１５の個数及び配設位置などは適宜変更することができる。また、リブ３の形状をダブルリブ構造にしたり、上壁部５に蓋同士の重なりを防止するためのアンチブロッキング突起又は凹陥部を設けることもできる。
【産業上の利用可能性】
【００２７】
本発明の飲料容器用蓋１は一般的に、ストローを使用して内容物を摂取するような、冷温〜常温のソフトドリンクを充填する紙製又はプラスチック製の飲料容器に適用される。しかし、ストローを使用しなければ、温飲料用容器のための蓋としても使用できる。
【図面の簡単な説明】
【００２８】
【図１】本発明の飲料容器用蓋の平面図である。
【図２】図１に示された飲料容器用蓋に配設される切込線部の拡大図平面図である。
【図３】図１におけるIII-III線に沿った断面図である。
【図４】切込線部１１の別の実施態様（Ａ）及び（Ｂ）を示す部分平面図である。
【図５】切込線部１１の他の実施態様（Ｃ）〜（Ｌ）を示す部分平面図である。
【符号の説明】
【００２９】
１  本発明の飲料容器用蓋
３  リブ
５  上壁部
７  円錐台形状隆起部
９  平坦上面部
１１、１１ａ〜１１ｌ  切込線部
１３  貫通切込部
１５  非切込部
１７  十字形状切込線部の交差点
２０  飲料容器
２２  口縁部
２４  飲料
２６  平行線状両側切込線
２６’円弧状両側切込線  
２８  横断切込線
【図１】
2010137902.tif 000003
【図２】
2010137902.tif 000004
【図３】
2010137902.tif 000005
【図４】
2010137902.tif 000006
【図５】
2010137902.tif 000007